(57)【要約】【課題】本発明は、シャワールーム、トイレルーム、洗面ルームなどの水廻り空間を設けることができる水廻りユニットルームにおいて、確実な防水処理を施すための止水構造を提供することを目的としている。【解決手段】本発明の水廻りユニットルームの止水構造は、防水構造を有する床部材と、床部材の外縁に接合される壁部材と、床部材の外縁における壁部材が載置される壁載面に対して、壁部材の接合面を押圧して接合する固定部材と、を備え、床部材の壁載面と壁部材の接合面との間において、水廻りユニットルームの内面を構成する内側縁に所定形状の凹部を有して、凹部に止水部材が充填されて保持されるよう構成されている。【選択図】図５
2020165182.tif 000002
【特許請求の範囲】
【請求項１】
水廻り空間を備えた水廻りユニットルームの止水構造であって、
前記水廻りユニットルームは、
前記水廻りユニットルームの床面を構成し、防水構造を有する床部材と、
前記床部材の外縁に接合されて、前記水廻りユニットルームの少なくとも側壁面を構成する壁部材と、
前記床部材の外縁における前記壁部材が載置される壁載面に対して、前記壁部材における接合面を押圧して接合する固定部材と、を備え、
前記床部材の前記壁載面と前記壁部材の前記接合面との間において、前記水廻りユニットルームの内面を構成する内側縁に所定形状の凹部を有し、
前記凹部に止水部材が充填されて保持されるよう構成された、水廻りユニットルームの止水構造。
【請求項２】
前記壁部材の前記接合面における内側縁に壁側段部が形成され、前記床部材の前記壁載面と前記壁側段部とにより前記凹部が形成される、請求項１に記載の水廻りユニットルームの止水構造。
【請求項３】
前記床部材の前記壁載面と前記壁部材の前記接合面との間に板状のスペーサが設けられ、前記床部材の前記壁載面と前記壁部材の前記接合面との間における内側縁に前記凹部が形成される、請求項１に記載の水廻りユニットルームの止水構造。
【請求項４】
前記床部材の前記壁載面における内側縁に床側段部が形成され、前記壁部材の前記接合面と前記床側段部とにより前記凹部が形成される、請求項１に記載の水廻りユニットルームの止水構造。
【請求項５】
前記スペーサは、弾性を有する部材で構成された、請求項３に記載の水廻りユニットルームの止水構造。
【請求項６】
前記壁部材は、繊維強化プラスチックで構成された、請求項１から５のいずれか一項に記載の水廻りユニットルームの止水構造。
【請求項７】
前記床部材は、繊維強化プラスチックで構成された、請求項１から５のいずれか一項に記載の水廻りユニットルームの止水構造。
【請求項８】
前記固定部材は、前記壁部材の前記接合面を前記床部材の前記壁載面に押圧するバネ性を有するバネ部と、前記床部材に固定される固定部と、を有し、
前記壁部材の前記接合面を有する下端部分が前記床部材の前記壁載面と前記バネ部との間に内側から挿入されて、前記壁載面と前記接合面とが押圧されて接合されるよう構成された、請求項１から５のいずれか一項に記載の水廻りユニットルームの止水構造。
【発明の詳細な説明】
【技術分野】
【０００１】
本発明は、シャワールーム、トイレルーム、洗面ルームなどを備える水廻りユニットルームの止水構造に関し、特に工事現場などに設置されるプレハブ構造体の内部に据え付けられる水廻りユニットルームの止水構造に関する。
【背景技術】
【０００２】
工事現場などに設置されるプレハブ構造体は、建築工程の大部分を工場で予め生産し、現場において組み立て設置される構造を有している。プレハブ構造体は、ユニット化された部屋（ユニットハウス）を現場状況に応じて組み合わせて設置する構成である。ユニットハウスの基本は規格化されたボックスフレームの構造にパネルを取り付けて構成され、ボックスフレームを組み合わせることにより様々な建築空間を形成することができる。ボックスフレームには壁、窓、ドアなどの各種パネルが取り付けられる構成であり、品質が一定化した所望のプレハブ構造体を短期間で完成させることができるというメリットを有する。また、プレハブ構造体は、建築が容易であり、短期間に建築できるというメリットの他に、解体して組み立てて再使用できるというメリットを有している。
【発明の概要】
【発明が解決しようとする課題】
【０００３】
工事現場においては、シャワールーム、トイレルーム、洗面ルームなどのウエット空間である水廻り空間が、プレハブ構造体とは別の場所に設置されるのが一般的である。しかしながら、現場で働く人にとっては、仕事場や居住空間となるプレハブ構造体の内部に水廻り空間が存在しないことは不便であり、労働環境としても好ましいものではなかった。
【０００４】
また、このような水廻り空間を保持する設備を工事現場などに設置する場合には、水廻り空間設備における防水処理が重要となる。特に、水廻り空間をユニットとして作製し、そのユニットを現場に輸送して設置する場合には、輸送中においても防水処理が維持されることが必要である。このような水廻り空間をユニット化した構成においては、防水床に壁パネルが取り付けられる構成であるため、防水床と壁パネルとの間の防水処理の維持は特に重要である。
【０００５】
なお、本発明において、水廻り空間とは、水を使用するウエット空間を示すものであり、シャワールーム、トイレルーム、洗面ルーム、キッチンルームなどを含むものである。また、水廻り器具とは水を使用する器具であり、水栓器具、洗面器具、シャワー器具、トイレ器具、キッチン器具などが含まれる。
【０００６】
本発明においては、シャワールーム、トイレルーム、洗面ルームなどの水廻り空間を設けることができる水廻りユニットルームにおいて、確実な防水処理を施すための止水構造の提供を目的としており、特に、工事現場などに設置される構成では、輸送中においても防水処理が剥がれることなく維持される水廻りユニットルームの止水構造を提供することである。
【課題を解決するための手段】
【０００７】
本発明に係る一態様の水廻りユニットルームの止水構造は、
水廻り空間を備えた水廻りユニットルームの止水構造であって、
前記水廻りユニットルームは、
前記水廻りユニットルームの床面を構成し、防水構造を有する床部材と、
前記床部材の外縁に接合されて、前記水廻りユニットルームの少なくとも側壁面を構成する壁部材と、
前記床部材の外縁における前記壁部材が載置される壁載面に対して、前記壁部材における接合面を押圧して接合する固定部材と、を備え、
前記床部材の前記壁載面と前記壁部材の前記接合面との間において、前記水廻りユニットルームの内面を構成する内側縁に所定形状の凹部を有し、
前記凹部に止水部材が充填されて保持されるよう構成されている。
【発明の効果】
【０００８】
本発明によれば、シャワールーム、トイレルーム、洗面ルームなどの水廻り空間を設けることができる水廻りユニットルームにおいて、確実に防水処理を施すための止水構造を提供することができ、特に、工事現場などに設置される構成において、輸送中にも防水処理が維持される水廻りユニットルームの止水構造を提供することができる。
【図面の簡単な説明】
【０００９】
【図１】本発明に係る実施の形態１の水廻りユニットルームが設けられたプレハブ構造体の一例を示す斜視図
【図２】実施の形態１の水廻りユニットルームがプレハブ構造体のユニットハウスの内部に設置された構成を模式的に示す斜視図
【図３】実施の形態１の水廻りユニットルームにおける床部材と壁部材との接合部分を拡大して外側から見た斜視図
【図４】図３に示した固定部材の近傍を拡大して示した図
【図５】実施の形態１の水廻りユニットルームの構成において、壁パネルと床パネルとの接合動作を模式的に示す断面図
【図６】本発明の水廻りユニットルームの構成において、固定部材の変形例を模式的に示す断面図
【図７】本発明の水廻りユニットルームの構成において、床部材と壁部材との間の内面側に形成される凹部（シーリングポケット）の変形例を模式的に示す断面図
【図８】本発明の水廻りユニットルームの構成において、床部材と壁部材との間の内面側に形成される凹部（シーリングポケット）の変形例を模式的に示す断面図
【発明を実施するための形態】
【００１０】
以下、本発明の水廻りユニットルームの止水構造の具体的な実施の形態としてシャワールーム、トイレルーム、洗面ルームなどの水廻り空間を備えた水廻りユニットルームについて添付の図面を参照しながら説明する。なお、本発明の水廻りユニットルームとしては、以下の実施の形態に記載した水廻り空間を備えた水廻りユニットルームの構成に限定されるものではなく、例えば、シャワールーム、トイレルーム、洗面ルーム、キッチンルームの単独の構成、若しくはこれらの組み合わせの構成、またはシャワー器具、トイレ器具、洗面器具、浴槽、キッチンなどの各種水廻り器具の少なくとも一つを含むルームが含まれる。本発明の水廻りユニットルームは、以下の実施の形態において説明する技術的特徴を有する技術的思想に基づく水廻りユニットルームの構成を含むものである。
【００１１】
また、以下の実施の形態において示す数値、形状、構成、ステップ（工程）、およびステップの順序などは、一例を示すものであり、本発明を実施の形態の内容に限定するものではない。以下の実施の形態における構成要素のうち、最上位概念を示す独立請求項に記載されていない構成要素については、任意の構成要素として説明される。なお、図面においては、理解しやすくするために、それぞれの構成要素を主体に模式的に示している。
【００１２】
先ず始めに、本発明の水廻りユニットルームの止水構造における各種態様を例示する。
本発明に係る第１の態様は、水廻り空間を備えた水廻りユニットルームの止水構造であって、
前記水廻りユニットルームは、
前記水廻りユニットルームの床面を構成し、防水構造を有する床部材と、
前記床部材の外縁に接合されて、前記水廻りユニットルームの少なくとも側壁面を構成する壁部材と、
前記床部材の外縁における前記壁部材が載置される壁載面に対して、前記壁部材における接合面を押圧して接合する固定部材と、を備え、
前記床部材の前記壁載面と前記壁部材の前記接合面との間において、前記水廻りユニットルームの内面を構成する内側縁に所定形状の凹部を有し、
前記凹部に止水部材が充填されて保持されるよう構成されている。
【００１３】
本発明に係る第２の態様の水廻りユニットルームの止水構造は、前記の第１の態様において、前記壁部材の前記接合面における内側縁に壁側段部が形成され、前記床部材の前記壁載面と前記壁側段部とにより前記凹部が形成されてもよい。
【００１４】
本発明に係る第３の態様の水廻りユニットルームの止水構造は、前記の第１の態様において、前記床部材の前記壁載面と前記壁部材の前記接合面との間に板状のスペーサが設けられ、前記床部材の前記壁載面と前記壁部材の前記接合面との間における内側縁に前記凹部が形成されてもよい。
【００１５】
本発明に係る第４の態様の水廻りユニットルームの止水構造は、前記の第１の態様において、前記床部材の前記壁載面における内側縁に床側段部が形成され、前記壁部材の前記接合面と前記床側段部とにより前記凹部が形成されてもよい。
【００１６】
本発明に係る第５の態様の水廻りユニットルームの止水構造は、前記の第３の態様において、前記スペーサが、弾性を有する部材で構成されてもよい。
【００１７】
本発明に係る第６の態様の水廻りユニットルームの止水構造は、前記の第１の態様から第５の態様のいずれかの態様において、前記壁部材が、繊維強化プラスチックで構成されてもよい。
【００１８】
本発明に係る第７の態様の水廻りユニットルームの止水構造は、前記の第１の態様から第５の態様のいずれかの態様において、前記床部材が、繊維強化プラスチックで構成されてもよい。
【００１９】
本発明に係る第８の態様の水廻りユニットルームの止水構造は、前記の第１の態様から第５の態様のいずれかの態様において、前記固定部材が、前記壁部材の前記接合面を前記床部材の前記壁載面に押圧するバネ性を有するバネ部と、前記床部材に固定される固定部と、を有し、
前記壁部材の前記接合面を有する下端部分が前記床部材の前記壁載面と前記バネ部との間に内側から挿入されて、前記壁載面と前記接合面とが押圧されて接合されるよう構成されてもよい。
【００２０】
（実施の形態１）
以下、本発明に係る実施の形態１の水廻りユニットルームの止水構造について、図面を参照しながら説明する。図１は実施の形態１の水廻りユニットルーム３が設けられているプレハブ構造体１の一例を示す斜視図である。なお、実施の形態１の水廻りユニットルームの説明においては、プレハブ構造体１の内部に設けた構成について説明するが、本発明における水廻りユニットルームとしてはプレハブ構造体１の内部に設ける構成に限定されるものではなく、一般的な住宅などに水廻り空間を設けるための構成としてもよい。
【００２１】
図１に示すように、プレハブ構造体１は複数のユニットハウス２を組み合わせて構成されている。図１に示すプレハブ構造体１は、並設されたユニットハウス２の上に並設されたユニットハウス２を積み重ねた２階建て構造である。各ユニットハウス２は、基本的に同様の構造を有し、各種アレンジが可能なように規格された寸法で構成されている。ユニットハウス２は、スチール製のボックスフレームにパネルが取り付けられて構成される。それぞれのパネルは、設置されるプレハブ構造体１の仕様に応じて、パネル（側壁、天井、床）、窓パネル、ドアパネルなどが予め準備されている。
【００２２】
図２は、実施の形態１の水廻りユニットルーム３の正面側を主として見た斜視図であり、内部構成を示すように断面図で示している。実施の形態１の水廻りユニットルーム３は、シャワールーム４およびトイレルーム５が並設された構成である。シャワールーム４とトイレルーム５との間には、開閉可能なカーテン（パーティション）２０が設けられている。図２に示すように、シャワールーム４においては、ユニットハウス２の外壁面２ａ（屋外の向かう面：図１参照）に対向する背面（側壁外面）の裏側に水廻り器具であるシャワー器具６などが設けられている。なお、シャワールーム４の天井には換気扇１０が設けられている。
【００２３】
また、トイレルーム５においても、ユニットハウス２の外壁面２ａ（屋外の向かう面）に対向する背面（側壁外面）の裏側に水廻り器具である洗面器具８、トイレ器具９などが配置されている。従って、水廻りユニットルーム３に予め施設された水廻り器具からの内部配管は、水廻りユニットルーム３の背面（側壁外面）側からユニットハウス２の外壁面２ａ側への導出経路となっており、全体的に短い経路となるよう配設される。
【００２４】
なお、実施の形態１の水廻りユニットルーム３においては、図２に示したシャワールーム４とトイレルーム５とを並設した構成を例として説明するが、本発明の水廻りユニットルームとしては、シャワールーム、トイレルームの他に洗面台を備えた洗面ルーム、浴室を備えたバスルームなどの各種水廻り器具における少なくとも一つの器具を備えたルームの単独構成、または各種水廻り器具をそれぞれ備えた複数のルームの並設構成を含むものである。
【００２５】
図２に示した水廻りユニットルーム３は、プレハブ構造体１のユニットハウス２の床上に設置できるように、複数の支持脚（図示省略）により支持されている。水廻りユニットルーム３は支持脚によりユニットハウス２の床に対して固定される構造を有する。
【００２６】
水廻りユニットルーム３の床面を構成する床部材である床パネル１２は、防水構造の防水パンであり、複数の支持脚によりユニットハウス２の床に対して所定空間を有して支持される。このように床パネル１２の直下には所定空間が形成されるため、この床下空間にはシャワールーム４およびトイレルーム５からの排水管、汚水管（トイレ排水管）などの配管が施設可能となる。
【００２７】
図２に示すように、水廻りユニットルーム３は、床面が防水パンである床パネル１２で構成され、四方の側壁面が壁部材である壁パネル１３で構成され、天井面が天井パネル１４で構成されている。なお、少なくとも一つの壁パネル１３には人が出入りするための入口開口（図示省略）が形成されており、この入口開口には、例えば２枚折りドア、またはスイングドアなどが設けられている。
【００２８】
水廻りユニットルーム３の外殻形状を構成する床パネル１２、壁パネル１３、および天井パネル１４は、樹脂材（繊維強化プラスチック）で成型されている。また、図２に示すように、床パネル１２、壁パネル１３、および天井パネル１４のそれぞれの外面には複数のリブ１３ａが形成されて、それぞれの強度をさらに高い構造物としている。
【００２９】
図２に示すように、水廻りユニットルーム３の壁パネル１３の外面に突設されるリブ１３ａは、縦横にクロスして、碁盤の目のように形成されている。これらのリブ１３ａは壁パネル１３の外面に突設されているため、これらのリブ１３ａを利用して壁パネル１３の外面側には化粧パネルが装着可能な構成となっている。
【００３０】
[水廻りユニットルームにおける床パネルと壁パネルと間の防水処理]
図３は、実施の形態１の水廻りユニットルーム３における床部材である床パネル１２と、壁部材である壁パネル１３との接合部分を拡大して外側から見た斜視図である。図３に示すように、壁パネル１３の外面に形成された縦横にクロスしたリブ１３ａにおいて、最下段で突設している下端リブ１３ａａの下面が接合面１３ｃ(図５の（ａ）参照)となり、下端リブ１３ａａが接合部材となる。一方、床パネル１２の外縁の上面が壁載面１２ａ(図５の（ａ）参照)となり、この壁載面１２ａが壁パネル１３が載置される面となる。下端リブ１３ａａの接合面１３ｃと床パネル１２の壁載面１２ａの互いの面が接触して接合され、壁パネル１３が床パネル１２に固定される。下端リブ１３ａａの接合面１３ｃと、床パネル１２の壁載面１２ａとの固定は、例えばバネ性を有する金属で構成された固定部材３０が用いられる。
【００３１】
図４は、図３に示した固定部材３０の近傍を拡大して示した斜視図である。図４に示すように、固定部材３０の縦断面が略Ｌ字形状を有しており、一端側がバネ部３０ａとなり、他端側が固定部３０ｂとなる。固定部材３０のバネ部３０ａは、壁パネル１３の下端リブ１３ａａの接合面１３ｃを床パネル１２の外縁部分の壁載面１２ａに対して押圧するよう設けられている。一方、固定部材３０の固定部３０ｂは、床パネル１２に対して固定手段（例えば、ネジなど）３１により固定される。
【００３２】
実施の形態１の構成においては、床パネル１２と壁パネル１３との接合が上記のようにバネ性を有する固定部材３０による押圧力により互いに密着させて固定すると共に、床パネル１２と壁パネル１３との間の防水処理が下記のように構成されて実行されている。
【００３３】
図５は壁パネル１３の床パネル１２に対する接合動作を模式的に示す断面図である。図５の（ａ）が接合前の状態を示し、（ｂ）は接合後の状態を示している。壁パネル１３における接合面１３ｃとなる下端リブ１３ａａの下面の内面側には段部（壁側段部）１３ｂが形成されている。即ち、図５の（ａ）に示すように壁パネル１３の縦断面形状において、接合面１３ｃにおける内面側（図５の（ａ）の左端側）の下端が段部（壁側段部）１３ｂを有する形状となる。図５の（ａ）に示すように、壁パネル１３の接合面１３ｃを有する下端部分が床パネル１２の壁載面１２ａと固定部材３０のバネ部３０ａとの間に内側から挿入されて、床パネル１２の壁載面１２ａの上に壁パネル１３の接合面１３ｃが接合されて、壁パネル１３が床パネル１２に装着される構成である。
【００３４】
上記のように、壁パネル１３が床パネル１２に装着されたとき、壁パネル１３の接合面１３ｃに形成された段部（壁側段部）１３ｂが、防水処理を施すためのシーリング材（例えば、シリコーン樹脂など）１５が充填されるシーリングポケット１１となる。このため、壁パネル１３が床パネル１２に装着（接合）されたとき、この段部１３ｂと床パネル１２の壁載面１２ａとによりシーリングポケット１１として、シーリング材１５が確実に保持される凹部となる。実施の形態１の構成においては、凹部となるシーリングポケット１１の縦断面形状が少なくとも２ｍｍ（Ｈ）×２ｍｍ（Ｌ）の寸法を有する。ここで、シーリングポケット１１の縦断面とは、壁パネル１３の下面である接合面１３ｃの内側縁に沿って延びる線（床パネル１２における外縁に沿った線）に対して直交する断面である。従って、シーリングポケット１１は、壁パネル１３の接合面１３ｃの内側縁に沿って、および床パネル１２の壁載面１２ａの内側縁に沿って、水廻りユニットルーム３における床パネル１２と壁パネル１３との間の全周に形成される。
【００３５】
上記のように形成されたシーリングポケット１１に対してシーリング材が充填されて、壁パネル１３と床パネル１２との間における防水処理が施される。シーリングポケット１１の断面形状がシーリング材１５を充填できる形状であると共に、充填されたシーリング材１５がシーリングポケット１１により保持される形状を有している。このため、シーリング材１５がシーリングポケット１１から輸送中などの振動により剥がれ落ちることが防止されている。
【００３６】
図６は、壁パネル１３の下端リブ１３ａａの接合面１３ｃを床パネル１２の外縁部分の壁載面１２ａに押圧固定する固定部材３０の変形例を模式的に示す断面図である。図６に示す固定部材３０は、図５に示した固定部材３０と実質的には同じ構成を有するものであるが、固定部３０ｂの床パネル１２に対する固定位置が異なっている。図６に示す固定部材３０の固定部３０ｂは、床パネル１２において外縁部分の外側で上方に突設された板状部材の内側に固定手段（例えば、ネジ）３１により固定される構成である。このため、図６に示す固定部材３０は床パネル１２において外縁部分の外側にはみ出ることがなく、水廻りユニットルーム３の外側を覆うように取り付けられる、例えば化粧パネルなどの取り付けの邪魔にならない構成となる。
【００３７】
図７および図８は、床パネル１２と壁パネル１３との間の内面側に形成されるシーリングポケット１１の変形例を模式的に示す断面図である。図７に示す変形例においては、壁パネル１３の下端部分の縦断面形状がＬ字形状である。壁パネル１３の最下端に形成された下端リブ１３ａａの下面には、板状のスペーサ３２が貼り付けられている。スペーサ３２は、その内側端が下端リブ１３ａａの内側縁から所定距離（奥行き）Ｌを有して配置されるように貼り付けられている。また、スペーサ３２は厚みＴを有しており、この厚みＴがシーリングポケット１１の高さＨとなる。これらの奥行きＬおよび高さＨが、少なくとも２ｍｍ×２ｍｍの大きさを有しているため、シーリングポケット１１として所定の寸法を有する形状となる。
【００３８】
なお、床パネル１２と壁パネル１３との接合においては、スペーサ３２が壁パネル１３の下端リブ１３ａａの下面に貼り付けられた状態で挿入動作が行われる。従って、スペーサ３２の下面が接合面として床パネル１２の壁載面１２ａに接合される構成となる。このように床パネル１２と壁パネル１３との間にスペーサ３２を設けることにより、所定の形状のシーリングポケット１１が所定位置に形成され（図７参照）、シーリングポケット１１に対してシーリング材１５を容易に充填できる形状となると共に、シーリング材１５がシーリングポケット１１により保持される形状となる。なお、スペーサ３２としては、板状の樹脂材により構成されてもよく、弾性を有する、例えば、硬質ゴム材などの部材により構成されてもよい。スペーサ３２として弾性を有する部材を用いた場合には、接合面と壁載面との密着性が更に高い構造となり、防水機能を更に高めることが可能となる。
【００３９】
図８に示す変形例においては、床パネル１２の外縁部分の壁載面１２ａの内側縁に段部（床側段部）１２ｂを形成して、シーリングポケット１１を形成した構成である。なお、シーリングポケット１１としては、床パネル１２と壁パネル１３との接続部分の内側縁に所定形状のシーリングポケット１１が形成される構成であればよく、床パネル１２の外縁部分の壁載面１２ａと、壁パネル１３の下端リブ１３ａａの接合面１３ｃとの少なくともいずれか一方に段部（壁側段部および／または床側段部）を形成して、所定形状のシーリングポケット１１が形成されていればよい。
【００４０】
また、シーリングポケット１１の縦断面形状としては、シーリングポケット１１に対してシーリング材１５を容易に充填できる形状であると共に、シーリング材１５がシーリングポケット１１により保持される形状であればよい。従って、縦断面形状が矩形状に限定されるものではなく曲面で形成された形状でもよく、少なくとも凹みを有する形状であればよい。
【００４１】
本発明における水廻りユニットルームは、予め組み立てられた状態で現場に輸送されて、例えばプレハブ構造体（ユニットハウス）の内部の所定位置に設置される構成である。このため、水廻りユニットルームにおいては輸送中において止水構造における防水処理が剥がれるような事故は避けなければならない。本発明の水廻りユニットルームの止水構造は、実施の形態において説明したように、輸送中の振動等では剥がれない防水処理が施された構成となる。このように、本発明においては、シャワールーム、トイレルーム、洗面ルームなどの水廻り空間を有する水廻りユニットルームに対して、確実に防水処理が施された止水構造を提供することができ、特に、工事現場などに設置される水廻りユニットルームの構成では、輸送中において防水処理が剥がれ落ちることを防止することができる。この結果、プレハブ構造体（ユニットハウス）に設置される水廻りユニットルームは、いずれの現場においても品質の高い状態で均一化を提供することができ、信頼性の高い水廻り器具を備えるプレハブ構造体となる。
【００４２】
上記のように、本発明におけるプレハブ構造体のユニットハウスに対して、水廻りユニットルームが所定位置に設置された後、フレームに対して所定のパネルが取り付けられ、器具などが設置され、所定の接続作業などが行われて、最終的に組立作業が完了する。一方、このように完成されて使用されたプレハブ構造体は、組立作業時の流れとは反対の流れの解体作業を行い、別の現場で組み立て作業（接続作業）を行うことが可能な構成であり、容易に再使用可能な構成となる。このとき、プレハブ構造体の内部に設置された水廻りユニットルームは、ユニットハウスにおける配管、配線などを外した状態でそのまま輸送することができる。解体されたプレハブ構造体は、水廻りユニットルームと共に別の現場に輸送されて再使用することが可能となる。
【００４３】
以上のように、本発明は、シャワールーム、トイレルーム、洗面ルームなどの水廻り空間を設けることができる水廻りユニットルームにおいて、確実な防水処理を施すための止水構造を提供することができ、特に、工事現場などに設置される構成において、輸送中の防水処理を維持する水廻りユニットルームの止水構造を提供することができる。
【産業上の利用可能性】
【００４４】
本発明の水廻りユニットルームは、防水処理が施された信頼性の高い水廻り空間をプレハブ構造体の内部に容易に設けることが可能となり、工事現場などにおいて作業者の環境を改善することができ、市場価値の高い製品となる。
【符号の説明】
【００４５】
１  プレハブ構造体
２  ユニットハウス
２ａ  外壁面
３  水廻りユニットルーム
４  シャワールーム
５  トイレルーム
６  シャワー器具
８  洗面器具
９  トイレ器具
１０  換気扇
１１  シーリングポケット
１２  床パネル
１２ａ  壁載面
１２ｂ  床側段部（シーリングポケット形成部）
１３  壁パネル
１３ａ  リブ
１３ａａ  下端リブ
１３ｂ  壁側段部（シーリングポケット形成部）
１３ｃ  接合面
１４  天井パネル
１５  シーリング材
２０  カーテン（パーティション）
３０  固定部材
３０ａ  バネ部
３０ｂ  固定部
３１  ネジ（固定手段)
３２  スペーサ（シーリングポケット形成部）
【図１】
2020165182.tif 000003
【図２】
2020165182.tif 000004
【図３】
2020165182.tif 000005
【図４】
2020165182.tif 000006
【図５】
2020165182.tif 000007
【図６】
2020165182.tif 000008
【図７】
2020165182.tif 000009
【図８】
2020165182.tif 000010